(57)【要約】【課題】  低コスト、かつ短時間で表示コンテンツを得ることができ、しかも、効率よく、かつ効果的に情報を可視的に提供する。【解決手段】  複数の遊技機設置店舗１と、１つの本部２とを有し、各遊技機設置店舗１は、各種情報を可視的に表示する情報端末装置１１と、遊技機設置店舗１内で必要なデータの収集、遊技機設置店舗１内の各種機器に対する指令データに供給などを行うサーバ１２とを含み、本部２は、データ集計などを行う本部データ管理端末装置２１と、画像および本部データ管理端末装置２１からのデータを用いて表示コンテンツを作成する本部コンテンツ管理端末装置２２とを有している。【選択図】  図１
2006271774.tif 000002
【特許請求の範囲】
【請求項１】
複数の遊技機設置店舗（１）からのデータを収集して保持するとともに、所定の処理を行って処理結果データを保持する本部データ管理装置（２１）と、予め作成され、かつ保持している画像と本部データ管理装置（２１）から受け取ったデータとを用いて表示コンテンツを作成し、遊技機設置店舗（１）に供給する本部コンテンツ管理装置（２２）と、遊技機設置店舗（１）において、供給された表示コンテンツを可視的に表示する情報提供装置（１１）とを含むことを特徴とする遊技機情報作成表示装置。
【請求項２】
本部コンテンツ管理装置（２２）は、本部データ管理装置（２１）から受け取ったデータに基づいて、他の遊技機設置店舗単位、エリア別の遊技機設置店舗単位、全遊技機設置店舗単位で編集を行って、表示コンテンツの一部を構成する情報提供用データを作成する機能をさらに含む、請求項１に記載の遊技機情報作成表示装置。
【請求項３】
遊技機設置店舗（１）に設置され、本部コンテンツ管理装置（２２）に対してコンテンツ要求、およびコンテンツの内容を表す内容指示を少なくとも含む要求データを供給するデータ供給手段（１４）をさらに含み、情報提供装置（１１）は、ネットワークを通して本部コンテンツ管理装置（２２）から必要な表示コンテンツを取得する、請求項１または請求項２に記載の遊技機情報作成表示装置。
【発明の詳細な説明】
【技術分野】
【０００１】
本発明は、複数の遊技機設置店舗を本部が統括している遊技機設置店舗チェーンに好適に適用される遊技機情報作成表示装置に関する。
【背景技術】
【０００２】
複数の遊技機設置店舗を本部が統括している遊技機設置店舗チェーンにおいては、複数の遊技機設置店舗における各種データの集計、集計データに基づく各種処理などを行うために、各遊技機設置店舗に店舗用データ処理装置が、本部に本部データ管理装置が、それぞれ設けられている。
【０００３】
また、各遊技機設置店舗においては、集客力を向上させる目的で、情報提供端末装置を設置し、各種の映像情報、データを可視的に表示することが多くなってきている。
【発明の開示】
【発明が解決しようとする課題】
【０００４】
各遊技機設置店舗において、情報提供装置に変動データを画像や動画と共に表示する要求がある場合には、その都度各遊技機設置店舗で表示コンテンツを作成してする必要があり、コストや時間がかかっていた。
【０００５】
具体的には、例えば、情報提供装置にランキング情報や店内レイアウト、などの変動データを画像や動画と共に表示するためには、その都度表示コンテンツを作成する必要があるので、上記のような不都合が生じてしまう。また、チェーン店内の他店舗情報を表示することは非常に困難である。
【０００６】
本発明は、上記の問題点にかんがみてなされたものであり、低コスト、かつ短時間で表示コンテンツを得ることができ、しかも、効率よく、かつ効果的に情報を可視的に提供することができる遊技機情報作成表示装置を提供することを目的としている。
【課題を解決するための手段】
【０００７】
本発明の遊技機情報作成表示装置は、複数の遊技機設置店舗からのデータを収集して保持するとともに、所定の処理を行って処理結果データを保持する本部データ管理装置と、予め作成された画像と本部データ管理装置から受け取ったデータとを用いて表示コンテンツを作成し、遊技機設置店舗に供給する本部コンテンツ管理装置と、遊技機設置店舗において供給された表示コンテンツを可視的に表示する情報提供装置とを含むものである。
この場合には、遊技機設置店舗において情報提供装置により、他の遊技機設置店舗の情報を表すデータなどを組み込んだ表示コンテンツを可視的に表示することができ、しかも、このような表示コンテンツを作成するための労力、所要時間などを大幅に低減することができる。
【０００８】
また、本部コンテンツ管理装置が、本部データ管理装置から受け取ったデータに基づいて、他の遊技機設置店舗単位、エリア別の遊技機設置店舗単位、全遊技機設置店舗で編集を行って、表示コンテンツの一部を構成する情報提供用データを作成する機能をさらに含むものである場合には、本部データ管理装置の負荷を増加させることなく、種々の表示コンテンツを作成することができる。
【０００９】
さらに、遊技機設置店舗に設置され、本部コンテンツ管理装置に対してコンテンツ要求、およびコンテンツの内容を表す内容指示を少なくとも含む要求データを供給するデータ供給手段をさらに含み、情報提供装置が、ネットワークを通して本部コンテンツ管理装置から必要な表示コンテンツを取得するものである場合には、遊技機設置店舗側が所望している表示コンテンツを簡単に本部コンテンツ管理装置に供給することができ、ひいては、簡単に所望の表示コンテンツを遊技機設置店舗側において簡単に取得することができる。
【発明の効果】
【００１０】
本発明の遊技機情報作成表示装置は、情報提供端末への配信用の表示コンテンツを作成することができ、ひいては、幅広い情報提供を効率よく、かつ効果的に達成することができ、しかも、遊技機設置店舗における遊技者へのサービス性を向上させることができるという特有の効果を奏する。
【発明を実施するための最良の形態】
【００１１】
以下、添付図面を参照して、本発明の遊技機情報作成表示装置の実施の形態を詳細に説明する。
【００１２】
図１は本発明の遊技機情報作成表示装置の一実施形態を示す概略図である。
この遊技機情報作成表示装置は、複数の遊技機設置店舗１と、１つの本部２とを有している。なお、遊技機設置店舗１は、パチンコゲーム機、スロットゲーム機などを複数台設置してなるものである。
【００１３】
そして、各遊技機設置店舗１は、各種情報を可視的に表示する情報端末装置１１と、遊技機設置店舗１内で必要なデータの収集、遊技機設置店舗１内の各種機器に対する指令データ供給などを行うサーバ１２とを含んでいる。
【００１４】
情報端末装置１３は、具体的には表示コンテンツを表示するプラズマディスプレイ、液晶ディスプレイなどの情報提供装置１１たるディスプレイ装置と、該ディスプレイ装置で表示する表示コンテンツを本部コンテンツ管理装置へ要求及び本部管理装置から取得し、又はさらに自店舗のデータに基づく表示コンテンツを自ら作成することも可能なデータ供給手段１４を兼ねるパーソナルコンピュータ等を含むものである。
【００１５】
本部２は、データ集計などを行う本部データ管理端末装置２１と、画像およびデータ（例えば、本部データ管理端末装置２１からのデータ）を用いて表示コンテンツを作成する本部コンテンツ管理端末装置２２とを有している。
【００１６】
本部データ管理端末装置２１は、有線または無線のネットワークを通して各遊技機設置店舗１のサーバ１２からデータを収集し、集計処理を行って集計データなどを作成する。なお、集計データなどとしては、種々のパターンのデータがある。
【００１７】
本部コンテンツ管理端末装置２２は、本部データ管理端末装置２１からデータを取得し、自らが管理する画像（静止画像、動画像を含み、内部メモリ、外部メモリに格納されているものを含む）と取得したデータとを合成して、各遊技機設置店舗１のイメージに合った表示コンテンツを作成する。そして、情報端末装置１１からのダウンロード要求に応じて、作成した表示コンテンツを該当する情報端末装置１１にダウンロードする。もちろん、情報端末装置１１からのダウンロード要求を必要とすることなく、本部コンテンツ管理端末装置２２から何れかの情報端末装置１１にダウンロードすることも可能である。
本部コンテンツ管理端末装置２２で作成される表示コンテンツは、情報端末装置１１からの要求に応じて作成されてもよく、または情報端末装置１１からの要求に影響されることなく作成されてもよい。
【００１８】
情報端末装置１１においては、ダウンロードされた表示コンテンツを可視的に表示することができるが、自店舗のデータを用いて表示コンテンツを作成し、この表示コンテンツを可視的に表示することも可能である。
【００１９】
上記の遊技機情報作成表示装置の作用は次のとおりである。
自店舗のデータを用いて表示コンテンツを作成し、この表示コンテンツを可視的に表示する場合には、該当する遊技機設置店舗１の情報端末装置１１のみを動作させればよく、遊技機設置店舗１に特有の表示コンテンツを作成して可視的に表示することができる。
【００２０】
この表示コンテンツは遊戯者にとって、遊戯台を選択するための参考になるので、集客を増加させる面で非常に有用なものである。
【００２１】
図２は、このような表示コンテンツの他の例を示す図であり、背景となる画像データと、その上に表示される店舗固有のデータとから構成されている。そして、この表示コンテンツは、本部コンテンツ管理端末装置２２において、本部データ管理端末装置２１からのデータを用いて作成される。その後、情報端末装置１１にダウンロードされ、可視的に表示される。
【００２２】
この場合には、背景となる画像を本部コンテンツ管理端末装置２２において作成し、または予め作成しておいたものから選択することができるので、季節などに応じた背景画像を簡単に作成することができる。
【００２３】
この表示コンテンツも遊戯者にとって、遊戯台を選択するための参考になるので、集客を増加させる面で非常に有用なものである。
【００２４】
図３は、このような表示コンテンツのさらに他の例を示す図であり、背景となるブランク画像（単一色からなる画像）と、その上に表示される店舗固有のデータ（店舗レイアウトデータ、およびイベント中を示すデータ）とから構成されている。そして、この表示コンテンツは、本部コンテンツ管理端末装置２２において、本部データ管理端末装置２１からのデータを用いて作成される。その後、情報端末装置１１にダウンロードされ、可視的に表示される。
【００２５】
ただし、店舗レイアウトデータについては、必要に応じて、本部データ管理端末装置２１に対して収集すべきことを指示することが好ましいが、本部データ管理端末装置２１において常時収集するようにしてもよい。
【００２６】
この表示コンテンツによって、入店者は店内の様子を簡単に把握することができるので、不慣れな入店者にとって非常に有用なものである。
【００２７】
図４は、このような表示コンテンツのさらに他の例を示す図であり、第１の背景となるブランク画像（単一色からなる画像）と、その上に表示される第２の背景となる２つの店舗のそれぞれの画像と、これらの上に表示される２つの店舗の競争データとから構成されている。そして、この表示コンテンツは、本部コンテンツ管理端末装置２２において、本部データ管理端末装置２１からのデータを用いて作成される。その後、２つの店舗の情報端末装置１１にダウンロードされ、可視的に表示される。
【００２８】
この表示コンテンツによって、入店者は、当該店舗の情報のみならず、競争している他方の店舗の情報をも簡単に把握することができる。そして、集客を増加させる面でも非常に有用なものである。
【００２９】
本実施の形態においては２つの店舗にかかわるデータ及び画像を用いて表示コンテンツが構成されているが、さらに多くの店舗単位、例えば特定のエリア内の店舗にかかわるデータ及び/又は画像を用いて表示コンテンツを作成し、該エリア内の店舗の情報端末装置１１にダウンロードして、可視的に表示してもよい。
【００３０】
上記のような各種の表示コンテンツの何れかを選択して情報端末装置１１に可視的に表示することにより、入店者の便宜を図ることができ、または集客を増加させることができ、または他の店舗の状況を案内することができる。そして、各種の表示コンテンツを準備するための作業量、コストなどを、各店舗においてそれぞれ表示コンテンツを準備する場合と比較して大幅に低減することができる。
【図面の簡単な説明】
【００３１】
【図１】本発明の遊技機情報作成表示装置の一実施形態を示す概略図である。
【図２】表示コンテンツの一例を示す図である。
【図３】表示コンテンツの他の例を示す図である。
【図４】表示コンテンツのさらに他の例を示す図である。
【符号の説明】
【００３２】
１  遊技機設置店舗
１１  情報提供装置
１３  情報端末装置
１４  データ供給装置
２１  本部データ管理端末装置
２２  本部コンテンツ管理端末装置
【図１】
2006271774.tif 000003
【図２】
2006271774.tif 000004
【図３】
2006271774.tif 000005
【図４】
2006271774.tif 000006